(57)【特許請求の範囲】
【請求項１】
壁材と、この壁材に取り付けられた外装材との間の隙間に設けられた通気路を有し、
水切り材が、その一端部が前記通気路に挿入されるようにして前記外装材の下側に設けられている建物の防火構造であって、
前記水切り材に、加熱されると発泡して前記通気路を塞ぐ高温発泡性塗料が塗布されており、
前記水切り材は、前記通気路に挿入される一端部と、この一端部と連続して前記外装材の下面側を通って屈曲した屈曲部を有するものであり、
前記高温発泡性塗料は、前記屈曲部の前記外装材の下面と対向する部分に塗布されていることを特徴とする建物の防火構造。
【請求項２】
前記高温発泡性塗料は、ポリリン酸アンモニウムを主成分とするものであることを特徴とする請求項１に記載の建物の防火構造。
【請求項３】
前記外装材は、面材の裏側に複数の縦胴縁を有するものであり、前記通気路は、この外装材の隣合う前記縦胴縁間の隙間によって形成されていることを特徴とする請求項１又は２に記載の建物の防火構造。
【請求項４】
前記水切り材は、基礎の近傍にある前記外装材の下側に設けられていることを特徴とする請求項１〜３のいずれかに記載の建物の防火構造。
【請求項５】
前記水切り材は、下屋の屋根近傍にある前記外装材の下側に設けられていることを特徴とする請求項１〜３のいずれかに記載の建物の防火構造。
【発明の詳細な説明】
【０００１】
【発明の属する技術分野】
本発明は、壁材と外装材との間の隙間に設けられた通気路を有する建物の防火構造に関する。
【０００２】
【背景技術】
建物の壁構造として、壁パネルのような壁材の外側にサイディングのような外壁材が取り付けられ、壁材と外装材との間の隙間に通気路が設けられたものがある。
通常、前記外装材は、裏側に複数の縦胴縁を有するものであり、前記通気路は、隣合う縦胴縁間の隙間によって形成されている。
【０００３】
【発明が解決しようとする課題】
例えば隣家に火災が発生した場合、前記通気路が設けられた建物は、この通気路によって延焼する可能性もある。
【０００４】
そこで、本発明は、延焼防止に効果のある建物の防火構造を提供することを目的とする。
【０００５】
【課題を解決するための手段】
図面を参照して説明すると、図２に示すように、本発明の第１発明は、壁材17と、この壁材17に取り付けられた外装材18との間の隙間に設けられた通気路19を有し、水切り材29が、その一端部31が前記通気路19に挿入されるようにして前記外装材18の下側に設けられている建物11の防火構造であって、前記水切り材29に、加熱されると発泡して前記通気路19を塞ぐ高温発泡性塗料34が塗布されており、前記水切り材29は、前記通気路19に挿入される一端部31と、この一端部31と連続して前記外装材18の下面側を通って屈曲した屈曲部32を有するものであり、前記高温発泡性塗料34は、前記屈曲部32の前記外装材18の下面と対向する部分に塗布されていることを特徴とする。
【０００６】
本発明の第２発明に係る建物の防火構造は、第１発明において、前記高温発泡性塗料３４が、ポリリン酸アンモニウムを主成分とするものであることを特徴とする。
【０００７】
本発明の第３発明に係る建物の防火構造は、第１又は第２発明において、前記外装材１８は、面材２７の裏側に複数の縦胴縁２８を有するものであり、前記通気路１９は、この外装材１８の隣合う前記縦胴縁２８間の隙間によって形成されていることを特徴とする。
【０００９】
本発明の第４発明に係る建物の防火構造は、第１〜第３発明のいずれかにおいて、前記水切り材29は、基礎14の近傍にある前記外装材18の下側に設けられていることを特徴とする。
【００１０】
本発明の第５発明に係る建物の防火構造は、図５に示すように、第１〜第３発明のいずれかにおいて、前記水切り材37は、下屋12の屋根36近傍にある前記外装材18の下側に設けられていることを特徴とする。
【００１１】
【発明の実施の形態】
図１〜図４を参照して本発明の第１実施形態に係る建物の防火構造を説明する。
図１に示すように、本実施形態の建物１１の防火構造は、下屋１２を有する２階建て建物１１の下屋１２の壁１３に設けられている。
【００１２】
図２に示すように、前記壁１３は、基礎１４上に半土台１５と床パネル１６を介して設置されている。この壁１３は、壁材である壁パネル１７の外側に外壁材１８が取り付けられて構成され、壁パネル１７と外壁材１８との間の隙間に通気路１９が設けられている。壁パネル１７と外壁材１８との間には防水シート２１が張られている。
前記床パネル１６は、対向する梁２２間に架け渡された根太２３の上面に面材２４が張られたものである。
前記壁パネル１７は、所定間隔で組まれた複数本の下地材２５の表面側と裏面側に面材２６が取り付けられて構成されたものである。
【００１３】
図３に示すように、前記外装材１８は、面材であるサイディング２７の裏側に複数の縦胴縁２８が等間隔で取り付けられたものである。この外装材１８は、これらの縦胴縁２８を介して壁パネル１７に取り付けられている。そして、前記通気路１９は、この外装材１８の隣合う縦胴縁２８間の隙間によって形成されている。
【００１４】
このような壁構造において、水切り材２９が、その一端部３１が前記通気路１９に挿入されるようにして外装材１８の下側に設けられている。この水切り材２９は、通気路１９に挿入される一端部３１と、この一端部３１と連続して外装材１８の下面側を通って一端部３１に対して鈍角に屈曲した屈曲部３２と、この屈曲部３２と連続して前記一端部３１と逆向きに屈曲した他端部３３とを有している。
【００１５】
そして、高温発泡性塗料３４が、前記屈曲部３２における外装材１８のサイディング２７の下面と対向する部分に塗布されている。図４に示すように、この高温発泡性塗料３４は、隣家からの延焼等の際の炎２０によって加熱されて発泡し、その発泡体３４Ａ  が前記通気路１９を塞いで防火作用を果たすものである。この高温発泡性塗料３４は、具体的には、ポリリン酸アンモニウムを主成分とするものである。このような高温発泡性塗料３４として、例えばパイロテクト（商品名、ドイツ、デンバック社製）を使用できる。
【００１６】
本実施形態の建物１１の防火構造は、次のようにして設けることができる。
即ち、水切り材２９として、その一端部３１が前記通気路１９に挿入されるようにして外装材１８の下側に設けられた際、屈曲部３２の外装材１８のサイディング２７の下面と対向する部分に高温発泡性塗料３４が塗布されているものを用意する。
【００１７】
そして、建物１１の建築において、前記壁構造を造る際、通常通り、壁パネル１７を半土台１５と床パネル１６の上に設けた後、半土台１５の正面に前記水切り材２９の一端部３１を固定する。
次に、この水切り材２９の一端部３１も覆うようにして防水シート２１を壁パネル１７に張り付けた後、前記外装材１８をこの壁パネル１７を取り付ける。
【００１８】
上記実施形態の建物１１の防火構造によれば、図４に示すように、隣家からの延焼等の際において、水切り材２９に塗布された高温発泡性塗料３４は、炎２０で加熱されて発泡し、発泡体３４Ａ  が通気路１９を塞いで防火作用を果たすことができる。
【００１９】
また、水切り材２９に前記高温発泡性塗料３４を塗布しておいて、建物１１の建築の際にこの水切り材２９を通常通り通気路１９に設ければよいため、本実施形態の実施が容易である。
更に、前記高温発泡性塗料３４は、水切り材２９の屈曲部３２におけるサイディング２７の下面と対向する部分に沿って帯状に塗布すればよいため、経済的である。
【００２０】
次に、図５を参照して本発明の第２実施形態に係る建物の防火構造を説明する。
前記第１実施形態の場合、建物の防火構造は、下屋１２の壁１３における基礎１４近傍に設けられたものであるが、この実施形態の場合、２階の壁３５における下屋１２の屋根３６近傍に設けられたものである。
即ち、この実施形態の壁構造においても、第１実施形態と同様に、壁パネル１７と外壁材１８との間に形成された通気路１９に水切り材３７がその一端部３８が挿入されている。
【００２１】
この水切り材３７は、通気路１９に挿入される一端部３８と、この一端部３８と連続して外装材１８の下面側を通って一端部３８に対して略直角に屈曲した屈曲部３９と、この屈曲部３９と連続して下屋１２の屋根３６上に折れ曲がった他端部４１とを有している。そして、高温発泡性塗料３４は、水切り材３７の屈曲部３９における外装材１８のサイディング２７の下面と対向する部分に塗布されている。
本実施形態においても、第１実施形態と同様の効果が得られる。
【００２３】
【発明の効果】
本発明に係る建物の防火構造によれば、延焼の防止に有効であり、またその実施が容易である。
【図面の簡単な説明】
【図１】本発明の第１実施形態に係る防火構造が設けられた建物の斜視図である。
【図２】第１実施形態の防火構造の断面図である。
【図３】第１実施形態の外壁材の斜視図である。
【図４】延焼があった際の第１実施形態を示す断面図である。
【図５】第２実施形態の防火構造の断面図である。
【符号の説明】
１１    建物
１２    下屋
１３    １階の壁
１４    基礎
１７    壁材である壁パネル
１８    外壁材
１９    通気路
２７    面材であるサイディング
２８    縦胴縁
２９，３７      水切り材
３１，３８      一端部
３２，３９      屈曲部
３５    ２階の壁
【図１】
0003623024.tif 000002
【図２】
0003623024.tif 000003
【図３】
0003623024.tif 000004
【図４】
0003623024.tif 000005
【図５】
0003623024.tif 000006